(57)【要約】      （修正有）【課題】番組を受信するための受信機のオン時間を自動的に最小にする受信制御方法を提供する。【解決手段】電子プログラムガイド（ＥＰＧ）又は他のサービスを受信する機能を持つテレビジョン受信機において適用可能である。受信機は、ＥＰＧの更新されたバージョンを期待できる時刻について通知される。受信機のスタンバイモードにおける電力消費を削減するため、ＥＰＧを受信するためのハードウェアが前記規定の瞬時まで活性化されない。【選択図】図１
2008178117.tif 000002
【特許請求の範囲】
【請求項１】
フレーム識別部（ＦＣ）及び少なくともデータ部（ＤＡＴ）と放送識別部（ＭＣ）とを各々が有する複数のパケットを有するフレームとして送信されるデータを受信するデータ放送受信機の受信制御方法において、
フレームの前記フレーム識別部（ＦＣ）を検出する工程と、
フレーム同期を確立した場合前記放送識別部（ＭＣ）のデータを復号する工程と、
デコードされた前記放送識別部（ＭＣ）データが受信制御情報放送を識別する場合前記データ部（ＤＡＴ）に含まれる番組識別データ及び時刻情報データを復号する工程と、
所定の番組識別データと関連づけられる前記時刻情報データにより規定される時刻までスタンバイモードに入る工程と、
前記規定時刻が到来した場合受信可能モードに入る工程とを有することを特徴とするデータ放送受信機の受信制御方法。
【請求項２】
請求項１に記載の方法において、前記番組識別データは、番組番号データ、サービス番号データ、放送局識別データ及び／または放送チャネルデータを有し、前記時刻情報データは、送出時刻データ、再送時刻データ及び／または間欠送出データを有することを特徴とする方法。
【請求項３】
請求項１又は２に記載の方法において、
番組のカテゴリに基づいて段階的に前記受信制御情報放送を受信する工程を更に有することを特徴とする方法。
【請求項４】
請求項１、２又は３に記載の方法において、
関連するパケットのデータ部に含有される時刻信号を用いることにより内部クロックの時刻を較正する工程を更に有することを特徴とする方法。
【請求項５】
請求項１乃至４の何れか一項に記載の方法において、
前記受信機は前記規定時刻よりも多少早く前記受信可能モードに入ることを特徴とする方法。
【請求項６】
電子プログラムガイド（ＥＰＧ）を表すデータ信号を含有するテレビジョン信号を受信するテレビジョン受信機であって、
前記データ信号を受信し復号する受信及び復号手段と、
前記データ信号を記憶するメモリと、
前記データ信号を処理し表示スクリーン上に前記電子プログラムガイドを提示する処理手段と、
現在時刻（Ｔ）を発生する実時間クロック回路とを有するテレビジョン受信機において、
前記処理手段は、前記プログラムガイドの次の送信時刻を識別するパラメータ（ＮＸＴ）を受信し、前記現在時刻（Ｔ）と該次の送信時刻とを比較し、前記現在時刻（Ｔ）が前記次の送信時刻に実質的に対応するまで当該受信機のスタンバイ状態において前記受信及び復号手段への電源電圧（ＶSS）を非活性化するように構成されることを特徴とする受信機。
【請求項７】
請求項６に記載の受信機において、
前記処理手段は更に、前記データ信号が過去に送信されたプログラムガイドの追加の更新か全体の更新かを指示するパラメータ（ＴＹＰ）を受信し、前記メモリ内の前記更新と対応する前記ガイドの部分のみを置換するように構成されることを特徴とする受信機。
【請求項８】
フレーム識別部（ＦＣ）及び少なくともデータ部（ＤＡＴ）と放送識別部（ＭＣ）とを各々が有する複数のパケットを有するフレームとしてデータをデータ放送受信機に放送する方法において、
前記データ部（ＤＡＴ）内に番組識別データ及び時刻情報データを送信する工程と、所定の値を前記放送識別部（ＭＣ）データに割当てることにより前記番組識別データ及び前記時刻情報データの送信を識別する工程とを有することを特徴とする方法。
【請求項９】
請求項８に記載の方法において、前記フレームは電子プログラムガイド（ＥＰＧ）を表していることを特徴とする方法。
【請求項１０】
請求項９に記載の方法において、
前記フレームは、当該フレームが過去に送信されたプログラムガイドの追加の更新を表しているか全体の更新を表しているかを指示するパラメータ（ＴＹＰ）
を含有していることを特徴とする方法。
【発明の詳細な説明】
【技術分野】
【０００１】
本発明は、複数のパケットを有するフレームでデータが伝送され、該データは各パケットの同一ビット位置でインターリーブされて伝送されるようなデータ放送を受信するデータ放送受信機の受信制御方法に関する。本発明はまた、そのような受信機へのデータ放送方法にも関する。
【背景技術】
【０００２】
現在、地上データ放送の受信を可能とするＴＶデータ放送方式が日本で検討されている。この方式は、移動受信機によるデータ受信を可能にし、テレビジョン信号の音声信号帯域内のデータ信号副搬送波４．５ｆＨ及び７．５ｆＨ（ｆＨ＝１５．７３ｋＨｚ：水平同期パルス周波数）を伝送路として用いる。この地上データ放送方式は、以下のような番組を提供する。
電子メイルサービス
新聞、雑誌、ＴＶプログラム等のニュース
コンサート、映画、レストラン、ホテル等の空き情報
電車やバス等の時刻、遅延、座席の空き等の情報
交通渋滞、駐車場、ガソリンスタンド、トイレ、カーショップ等の情報
公共施設、病院、観光案内場等の情報
バーゲンセール等のショッピング情報
競馬、競輪等の娯楽遊興情報
株価等のファイナンス情報
ＭＩＤＩデータ、ゲーム等のソフトウェア
グループ、会社、学校等の限定された人々を対象とするいわゆるナローキャスト(narrow cast)
地震、津波、火事等の災害情報
スポーツ等の実況中継
無線呼出し（ページャ）
【０００３】
しかしながら、番組はこれらに限定されるものではなく、将来より多様化の方向に進むものと考えられる。
【０００４】
このＴＶデータ放送方式において、データは、フレームの形態で伝送される。
【０００５】
そのようなフレームの一例が第１図に示されている。このフレームは、１６ビットのフレーミングコード即ちフレーム同期信号（ＦＣ）と各々が２８８ビットを有する３２個のデータパケットとを含有する計９２３２ビットから構成される。
【０００６】
１データパケットは、１６ビットのモードコントロール（ＭＣ）、１４ビットのプリフイツクス（ＰＦ）、１７６ビットのサービスデータ（ＤＡＴ）及び誤り訂正用のチェック符号ビット（ＣＨＣ）から構成される。
【０００７】
前記ＴＶデータ放送方式においては、フレーム内の全てのパケットのデータが、第１図において破線矢印２０により示されるように、縦方向に３２の深さでインターリーブされる。すなわち、フレーム同期信号ＦＣの伝送の後、第１行パケットのＭＣの最上位ビットが送信され、次いで、第２行パケットのＭＣの最上位ビット、等々が伝送される。同様に、第３２行パケットのＭＣの最上位ビット後、前記第１行パケットのＭＣの第２ビットが伝送される。それ故、各パケットのデータ復号を行うためには該パケットが属するフレーム全てのデータを受信する必要性がある。
【０００８】
１６ビットであるＭＣは、５ビットの有意情報ビット及び１１ビットの誤り訂正ビットを有している。第２図は、前記ＴＶデータ放送方式において現在定義されているＭＣの情報ビットｂ１〜ｂ５を示し、ｂ１は最上位ビットである。現在５つの放送サービスが定義されている。
【発明の開示】
【発明が解決しようとする課題】
【０００９】
上述のようなデータ放送の番組には、該番組の放送時刻または受信可能時刻が限定されるものがある。受信機のその番組放送時間外の動作は、大幅に電力を消費することになり、それ故、特に移動受信用の受信機において不利益を招く。受信機を手動で動作させることは、煩雑な操作である。
【課題を解決するための手段】
【００１０】
本発明の目的は、前述のようなデータ放送において、放送時刻または受信可能時刻が限定されるような番組を受信する場合、該番組を受信するための受信機のオン時間を自動的に最小にすることができるデータ放送受信機の受信制御方法を提供することにある。
【００１１】
このため、本願第１の発明によれば、フレーム識別部及び少なくともデータ部と該データ部に先立ち伝送される放送識別部とからなる複数のパケットを有するフレーム形態でデータを伝送するデータ放送であって、前記フレーム識別部以外の前記データは各パケットの同一ビット位置でインターリーブされて伝送されるデータ放送を受信するデータ放送受信機の受信制御方法において、前記受信機が、制御装置の制御の下、フレームのフレーム識別部を検出し、フレーム同期を確立した場合、放送識別部のデータをインターリーブ解除及び復号し、復号された前記放送識別部データが受信制御情報放送を識別する識別子を持つ場合、データ部に含まれる受信制御情報の番組識別データ及び時刻情報データをインターリーブ解除及び復号し、復号された所定の前記番組識別データ及びこの番組識別データに関連する時刻情報データに基づき、該時刻情報データから規定される時刻までスタンバイモードに入り、前記規定時刻が到来した場合、受信可能モードに入るように動作することを特徴とする。
【００１２】
本願第２の発明は、前記番組識別データが、番組番号データ、サービス番号データ、放送局識別データ及び／または放送チヤネルデータから構成され、前記時刻情報データは、送出時刻データ、再送時刻データ及び／または間欠送出データから構成されることを特徴とする。
【００１３】
本願第３の発明は、前記受信機の受信制御が、番組のカテゴリに基づいて、段階的に前記受信制御情報放送を受信することにより行われることを特徴とする。
【００１４】
本願第４の発明は、前記受信機が受信可能モードにおいて時刻信号放送の識別子を含有する前記放送識別部を認識した場合、該受信機は、当該パケットのデータ部に含有される時刻情報を用いることにより内部クロックの時刻を較正することを特徴とする。
【００１５】
本願第５の発明は、前記受信機は前記規定時刻よりも多少早く再度受信可能モードに入ることを特徴とする。
【発明を実施するための最良の形態】
【００１６】
本発明の方法を、放送時刻（または、受信可能時刻）が限定される番組の受信を目的とした受信機の受信制御方法に関して以下で詳細に説明する。
【００１７】
第２図から明らかなように、ＴＶデータ多重放送音声副搬送波方式においては、現在、５つの放送が関連するＭＣにより定義されている。本発明によれば、特定の番組の放送時刻を規定する受信制御情報データが放送される。第１図に示されるように、この受信制御情報データ２１は、データ部ＤＡＴ内に含まれ、当該データパケットのＭＣに受信制御情報データの存在を識別する識別子２９が割当てられる。
【００１８】
ＭＣが第２図に示される５つのビットパターンと異なれば、受信制御情報放送を識別するパターンはどのようなパターンでも良い。すなわち、識別子は、"１０１１１"、"１０１００"等であっても良い。
【００１９】
受信制御情報データ２１は、各番組毎に、例えば、番組番号２２（例えば、１６ビット）、サービス番号２３（例えば、８ビット）、放送局識別２４（例えば、１２ビット）、放送チャネル２５（例えば、１０ビット）、送出時刻２６（例えば、２４ビット）、再送時刻２７（例えば、１６ビット）を有する。送出時刻データ２６は、番組が放送される時刻を指示し、再送時刻データ２７は、先の番組と同一内容の番組が再送されてくる時刻を指示する。複数の再送時刻、例えば、再送時刻１、再送時刻２...の指定も可能である。ここで、一つのデータパケット（ＤＡＴ）に、一つの番組の受信制御情報データを含有させても良いことに注意されたい。
【００２０】
本発明は、上述のような受信制御情報放送により得られる受信制御情報に基づいて受信機の受信制御を行うものである。以下、この制御方法を詳しく述べる。
【００２１】
第３図は、ＴＶデータ多重放送音声副搬送波方式におけるデータ放送を受信する受信機の一例のブロック図である。この受信機には、アンテナ１を介して受信されるテレビジョン信号の音声信号の周波数同調を行うチューナ２が設けられている。チューナ２には、出力された前記音声信号のＦＭ検波を行うＦＭ検波部３が接続されている。ＦＭ検波部３には、このＦＭ検波された信号からデータ信号副搬送波４．５ｆＨ及び７．５ｆＨを得るためのフィルタ部４が接続されている。ＴＶデータ多重放送音声副搬送波方式においては、前記データ信号副搬送波がＱＰＳＫ変調を受けている。これを鑑みて、上記副搬送波の復調を行うためのＱＰＳＫ復調部５がフィルタ部４に接続されている。ＱＰＳＫ復調部５は、複数のパケットで構成されるフレーム構成で且つインターリーブされたフレームデータを出力する。
【００２２】
前記フレームデータのフレーム同期を確立するためにフレームコードＦＣを検出するフレーミング部６が、ＱＰＳＫ復調部５に接続されている。このフレーミング部６は、タイマ及び比較回路を有するような一致回路であり、ＦＣを認識した後、該フレームのビット数、即ち、９２３２ビットをカウントする。フレーミング部６は、このカウントに基づいて、次のＦＣが入力されることを検出するように構成されている。フレーミング部６には、前記フレームのデータのインターリーブを解除するためのデインターリーブ部７が接続されている。デインターリーブ部７には、インターリーブ解除された前記フレームの各パケットのデータ復号を行うためのデコード部８が接続されている。デコード部８において復号されたデータは、図示せず表示装置等に出力９を介して送られる。
【００２３】
チューナ２、ＦＭ検波部３、フィルタ部４、ＱＰＳＫ復調部５、フレーミング部６、デインターリーブ部７及びデコード部８の動作は全て、中央演算処理装置（ＣＰＵ）１０により制御される。ＣＰＵ１０には更に、メモリ１１及び内部クロック１２が接続されている。なお、ＣＰＵ１０には、当該受信機が受信可能な番組に関する番組識別データ（番組番号データ、サービス番号データ、放送局識別データ、放送チヤネルデータ等）の情報が記憶されているＲＯＭ１３も接続されている。
【００２４】
前記受信機の電源がＯＮされると、該受信機を構成する各要素が全てＯＮされ、該受信機は、ＣＰＵ１０の制御の下、フレームのＦＣ検出モードに入る。すなわち、フレーミング部６が、あるフレームのＦＣを検出する。フレーム同期した場合、このフレームデータは、デインターリーブ部７においてインターリーブ解除を受け、該フレームのパケットのモードコントロール部ＭＣがデコード部８において復号される。ＭＣが受信制御情報データを識別するビットパターンを持たない場合、復号処理は終了し、受信制御情報放送を受信するまで各要素はＯＮ状態を保つ。
【００２５】
ＭＣが受信制御情報放送を識別するビットパターンを含む場合、デコード部８は当該パケットのデータ部ＤＡＴを復号する。ここで、メモリ１１内に受信制御情報のテーブルが作成される。ＣＰＵ１０が、このテーブルと、受信されるべき番組を識別するＲＯＭ１３に記憶されている番組識別データ情報と比較する。受信されるべき番組の伝送を前記テーブルにおいて確認した場合、該番組の送出時刻を該テーブルから抽出し、この時刻が到来するまで受信機はスタンバイモードに入る。このように、受信機を構成する各要素の動作が必要最小限に抑えられる。
【００２６】
ＣＰＵ１０は、内部クロック１２を監視するために、パワーセーブモードで動作し続けることに注意されたい。内部クロック１２により前述の時刻を確認すると、ＣＰＵ１０の制御の下、受信機の各要素が再びＯＮされ、所定のデータ放送の番組を受信する。各要素の再起動時刻は、前記記憶された時刻より多少早いことが好ましい。
【００２７】
何らかの理由で指定時に番組を受信しなかった場合には、該番組が再送される時刻が前記テーブルの関連する受信制御情報データの再送出時刻データから抽出され、番組の再受信を試みる。すなわち、受信機の各要素の動作は、実に最小限に抑えられる。
【００２８】
このように、受信制御情報に基づいて当該受信機のデータ放送受信を自動的に制御することができ、この結果、該受信機の大幅な電力消費の削減を達成することができる。
【００２９】
更に、受信制御情報データ自体を一番組として特定し、番組番号がこの受信制御情報放送を識別しても良いことに注意されたい。この場合、送出時刻及び再送時刻は、受信制御情報データの次回の放送時刻を規定する。
【００３０】
他の応用例として、データ放送は、全ての番組を個別に識別するのではなく、第１段階として番組カテゴリを識別する第１の受信制御情報、及び第２段階として各カテゴリ内の複数の番組から所望の番組を識別する第２の受信制御情報の送出を含んでも良い。第１の受信制御情報においては、番組番号データが第１の受信制御情報放送を規定し、サービス番号がカテゴリを規定し、送出時刻がこのカテゴリに関する第２の受信制御情報放送の送出時刻を規定する。第２の受信制御情報においては、サービス番号があるカテゴリの第２の受信制御情報を規定し、番組番号がこのカテゴリに属する当該番組を識別し、送出時刻がこの番組の送出時刻を規定する。第１の受信制御情報放送を受信した場合、当該受信機は、所望の受信制御情報データのサービス番号データ及び送出時刻データから所望のカテゴリの第２の受信制御情報放送の送出時刻を認識し、該時刻が到来するまでスタンバイモードに入る。前記第２の受信制御情報放送の時刻が到来すると、受信機は再起動し、この第２の受信制御情報放送により得られる受信制御情報データから所望の番組の送出時刻を確認し、この送信時刻が到来するまで再度スタンバイモードに入る。
【００３１】
受信機の内部クロック１２の時刻が正確であることが重要であり、この時刻が、受信機の所定の番組の受信可能時、時刻信号放送を受信することにより較正されることが好ましいであろう。このため、受信制御情報の識別子と同一ではないＭＣパターン、例えば、"１０００１"または"００００１"を、当該パケットのデータ部ＤＡＴに現在時刻を含有する時刻信号放送に割り当てても良い。
【００３２】
他の例として、受信制御情報データは、ある特定の時刻ではなく、例えば、一時間毎または一日毎のような番組の放送間隔を特定する間欠送出データを規定しても良い。この場合、受信機の動作は、この間欠送出データにより規定される間隔で制御される。
【００３３】
更に、例えば有料放送のような場合には、加入者の個人ＩＤが、状況に応じて番組を受信するために設定されるかもしれない。このような番組の場合、受信制御情報データに、個人ＩＤに関するデータが含まれても良い。
【００３４】
また、受信制御情報データが番組の終了時刻に関するデータを含み、受信機が該終了時刻に基づいて再びスタンバイモードに入っても良い。この場合、スタンバイモードは、関連する再送時刻や、所望の番組の受信制御情報を再度受信し、該情報で規定される送出時刻まで継続されても良い。
【００３５】
本発明は、移動データ受信機にのみ適用可能ではない。電力消費の削減はまた、主電源供給機器のスタンバイ状態においても望まれる。例えば、テレテキストのように送信される電子プログラムガイド（ＥＰＧ）を受信するように構成されるテレビジョン受信機が知られている。ＥＰＧは、一日一回か多くても数回送信される。ＥＰＧを受信するために、関連する処理回路（チューナ、テレテキストデコーダ、データメモリ）は、ＴＶ受信機が番組を視聴するために用いられない場合も動作する必要がある。近い将来においてＴＶ受信機のオフ状態即ちスタンバイ状態において１ワット以上の電力消費を禁止する国際的な規制が予期される。これは、現行のハードウェア回路、とりわけ、ＴＶチューナでは実施し難い。
【００３６】
本発明によれば、ブロードキャスタが、ＥＰＧ（又は他の形式のデータ）の送信において、次の送信を実施するクロック時刻を含んでいる。この場合、ＴＶ受信機は、規定された時刻か僅かに早く関連する回路が起動する。言い換えると、受信機は、実際のスタンバイ状態（プロセッサ及びＴＶの実時間クロックしか活性化していない）から、チューナ、テレテキストデコーダ及びデータメモリが前記送信が実施される間活性化される"データキャストスタンバイ"状態に切り替わる。この"データキャストスタンバイ"状態においてのみ、電力消費は１ワットを越える。無論、これら全ての動作は使用者のいかなる介在なしに実行される。
【００３７】
ブロードキャスタは更に、データ送信が過去に送信されたＥＰＧの繰り返しであるかどうかを含んでも良く、又新規情報を含んでも良い。１番目の場合、受信機は、ＥＰＧが既に記憶されていると断定し、更に電力消費を削減するために即座に通常のスタンバイ状態に切り替わっても良い。２番目の場合、ブロードキャスタは、ＥＰＧが追加(incremental)の更新か完全に新規の更新かどうかを指示しても良い。追加の更新は、過去に送信されたＥＰＧのどの部分が更新に関係しているかを識別しても良い。これはＴＶがメモリ内の該当部分を消去することを可能にする。
【００３８】
第４図は、電子プログラムガイド４０の送信フォーマットの一例を示している。このガイドは、ヘッダ４１、ガイドを構築する複数の番組アイテムを有するセクション４２、及びエンドオブファイル（ＥＯＦ）マーカー４３を含んでいる。
【００３９】
ヘッダは、データ４２が電子プログラムガイドを表していることを規定する識別子４４（ＥＰＧ）、現在のクロック時刻を指示するパラメータ４５（ＣＵＲ）、データが再び送信される時刻を規定するパラメータ４６（ＮＸＴ）、及びＥＰＧが単に過去に送信されたバージョンの繰り返しであるか、このバージョンの全ての又は一部の更新であるかどうかを規定するパラメータ４７（ＴＹＰ）を含んでいる。パラメータ４６（ＮＸＴ）は種々のフォーマットを持っても良い。ガイドの次の送信が実施されるクロック時刻（"明日午前４：００"）、ガイドが繰り返し送信される時刻（"毎日午前４：００及び午後１：００"）、又は現在時刻に関するオフセットとして（"このガイドは１２時間のうちに再び放送されるであろう"）を規定しても良い。
【００４０】
第５図は、ＥＰＧデータを受信し、受信可能であるか使用者が所望としている全てのチャネルを網羅する総合的なＴＶガイドを構築し表示するように種々のチャネルから前記データをアセンブルするように構成されているテレビジョン受信機を概略的に示している。この受信機は、アンテナ５０、チューナ５１、ビデオデコーダ５２、表示スクリーン５３、データデコーダ５４（通常、テレテキストデコーダ）、マイクロプロセッサの形態の制御回路５５、遠隔制御受信機５６、遠隔制御送信機５７、ＥＰＧデータメモリ５８、実時間クロック回路５９、及び電源６０を有している。
【００４１】
チューナは、放送ＴＶ信号を受信し、該信号を復調して複合ビデオ及びブランキング（ベースバンド）信号ＣＶＢＳを得る。ＣＶＢＳ信号は、更に既知のように処理され（５２）、表示される（５３）。ＣＶＢＳ信号は又、テレテキストデコーダ５４にも供給される。テレテキストデコーダは、ＣＶＢＳ信号の垂直帰線期間に埋め込まれるデジタル信号を抽出するためにデータスライサ（図示せず）を有し、該データを通信バス６１を介してマイクロプロセッサ５５に供給する。
【００４２】
テレテキストデコーダ５４は又、前記バス６１を介してマイクロプロセッサ５５から表示されるべき映像を受ける表示発生器（図示せず）も有している。この表示されるべき映像は、オンスクリーンディスプレイ信号ＯＳＤとしてビデオ処理回路５２を介して表示スクリーン５３に供給される。
【００４３】
通常の動作モードにおいて前記ＴＶ受信機の全ての回路が電源電圧を受けることを理解されたい。一般的に知られるように、マイクロプロセッサ５５及び遠隔制御受信機５６は、当該受信機が遠隔制御コマンドに応答してオンされ得るように通常のスタンバイモードにおいても電源電圧を受ける。スタンバイ電力は更に、マイクロプロセッサがスタンバイモードにおいて現在時刻を読取ることが出来るように、実時間クロック５９に印加される。
【００４４】
第５図の電源６０は、プロセッサ５５からの電力制御信号ＰＷＲに応答して、チューナ５１、テレテキストデコーダ５４及びデータメモリ５８に対して電源電圧ＶSSを生成する。この信号は、上述に規定したような通常のスタンバイモードとＶSSがチューナ５１、テレテキストデコーダ５４及びデータメモリ５８に印加される"データキャストスタンバイ"モードとの間を区別する。
【００４５】
第５図に示される受信機の動作を、第６図に示されるマイクロプロセッサ５５により実行される動作のフローチャートを参照して以下に述べる。受信機が通常のスタンバイ状態であり第４図に示されるような電子プログラムガイドを既に早くに受信していると仮定する。ガイドはデータメモリ５８に記憶されている。ＥＰＧが再び送信されるクロック時刻（第４図のパラメータＮＸＴ）が、メモリ５８（このメモリ自体をこのモードにおいてアクセスすることは出来ない）からプロセッサ５５のレジスタにコピーされている。
【００４６】
ステップ６０において、プロセッサは、遠隔制御コマンドを受信しているかどうかチェックする。そうである場合、ＴＶは、ステップ６１において（関連する回路への電源電圧ＶSSの印加を含んで）スイッチオンされ、更に既知のように動作する。ステップ６２において、プロセッサは、実時間クロック回路５９により与えられる現在時刻ＴとＥＰＧが送信されるべき時刻ＮＸＴとを比較する。ＥＰＧが送信されるまでに経過する所定の大きさの期間（例えば３０分以上）がある限り、プロセッサは上述のステップ６０に戻る。このように、ＴＶは、受信機が使用者によりオンされない限り通常のスタンバイ状態のままである。
【００４７】
ステップ６２においてＥＰＧの送信が受信に起因すると分かった場合、ステップ６３が実施され、チューナ、テレテキストデコーダ及びデータメモリに電力を印加するために（又は、受信機が通常の動作モードにある場合、使用者がＴＶをスイッチオフする場合も電力供給を維持するために）マイクロプロセッサが電力信号ＶSSを活性化する。ＴＶはここで"データキャストスタンバイ"状態である。ステップ６４において、ＥＰＧデータが獲得されデータメモリ５８内に記憶される。これにより、パラメータＴＹＰ（第４図の４７）が、既に記憶されているデータのどの部分が更新されメモリから除去可能であるかを識別するために翻訳される。
【００４８】
次いで、ステップ６５において、全ての送信されたＥＰＧ情報が処理されたかどうかを決定する。これは、エンドオブファイルマーカーＥＯＦ（第４図の４３）に遭遇した場合か、受信されたガイドが過去に送信され既に記憶されているバージョンと同一であることをＴＹＰパラメータが識別する場合である。全てのＥＰＧ情報が処理されていない限り、プロセッサはステップ６４において前述の処理を継続する。そうでなければ、ステップ６６が実施され、（ＮＸＴにより規定され且つデータメモリに記憶されている）次の送信時刻がプロセッサのレジスタにコピーされ、該プロセッサは電力制御信号ＰＷＲを非活性化することによりチューナ、テレテキストデコーダ及びデータメモリに更に電源電圧ＶＳＳを印加することを抑制する。
【００４９】
要約すると、本発明は、データ放送受信機、とりわけ、日本のＴＶデータ多重放送音声副搬送波方式用の移動データ受信機によるデータ受信に関する。受信機は、所望の形式のデータ、例えば、天気予報、ニュース、株価等を受信するように制御される。本発明は、前記データがいつ送信されるか又は再送されるかを各データの形式ごとに規定する時刻情報の送信を提供する。これは電力消費が削減されるスタンバイモードに受信機が入ることを可能にする。規定時刻と同時か僅かに早く、受信機はスイッチオンし所望のデータを受信し、復号し、表示する。
【００５０】
本発明は又、電子プログラムガイド（ＥＰＧ）又は他のサービスを受信する機能を持つテレビジョン受信機においても適用可能である。受信機は、ＥＰＧの更新されたバージョンを期待できる時刻について通知される。受信機のスタンバイモードにおける電力消費を削減するため、ＥＰＧを受信するためのハードウェアが前記規定の瞬時まで活性化されない。
【図面の簡単な説明】
【００５１】
【図１】本発明によるＴＶデータ多重放送音声副搬送波方式におけるフレーム構成を示す図である。
【図２】ＴＶデータ多重放送音声副搬送波方式におけるＭＣで定義されている情報ビットを表す図である。
【図３】ＴＶデータ多重放送音声副搬送波方式におけるデータ放送を受信する受信機の一例を示すブロック図である。
【図４】本発明による電子番組ガイドを伝送するデータフォーマットを示す。
【図５】第４図に示される電子番組ガイドＥＰＧのデータを受信し提示するテレビジョン受信機を概略的に示す。
【図６】第５図に示されるマイクロプロセッサにより実行されるオペレーションのフローチャートを示す。
【図１】
2008178117.tif 000003
【図２】
2008178117.tif 000004
【図３】
2008178117.tif 000005
【図４】
2008178117.tif 000006
【図５】
2008178117.tif 000007
【図６】
2008178117.tif 000008